(57)【要約】【目的】  机の天板の後部に上置き棚が着脱自在に備えられた学習机に関し、上置き棚が机の天板上に載置された状態であっても、モニター等の大きさに対応して、天板上の空間のレイアウト（空間の大きさ位置等）を選択することが可能な学習机を提供する事を目的とする。【構成】  机の天板の後部に上置き棚が着脱自在に備えられた学習机において、上置き棚の背板に対して左右に移動自在で、下端面と天板間に所定の間隔を有して設けられた仕切板と、仕切板の下端部と上置き棚の一方の側板間を着脱自在に連結する部分棚部と、仕切板と上置き棚の他方の側板間に着脱自在に配設された下棚板より構成され、部分棚部と下棚板を取り外した状態で、仕切板を左右に移動自在としたものである。【選択図】    図２
2007000478.tif 000002
【特許請求の範囲】
【請求項１】
机の天板の後部に上置き棚が着脱自在に備えられた学習机において、上置き棚の背板に対して左右に移動自在で、下端面と天板間に所定の間隔を有して設けられた仕切板と、仕切板の下端部と上置き棚の一方の側板間を着脱自在に連結する部分棚部と、仕切板と上置き棚の他方の側板間に着脱自在に配設された下棚板より構成され、部分棚部と下棚板を取外した状態で、仕切板を左右に移動自在とした事を特徴とする学習机。
【請求項２】
部分棚部は部分棚板と、部分棚板の左右端部下面に設けられた左右引出し支持板と、左右引出し支持板間に配設された引出しより構成され、部分棚部が仕切板と側板間より取外されて天板上に載置された状態でも、引出しは引き出し可能に構成されていることを特徴とする請求項１に記載の学習机。
【請求項３】
机の天板の後部に上置き棚が着脱自在に備えられた学習机において、上置き棚の背板に対して左右に移動自在で、下端面と天板間に所定の間隔を有して設けられた少なくとも２枚の左右仕切板と、左右仕切板の下端部間を着脱自在に連結する部分棚部より小棚部を構成する事により、上置き棚に対して小棚部を左右に移動自在とし、部分棚部を取り外した状態で、左右仕切板をそれぞれ独自に左右に移動自在とした事を特徴とする学習机。
【請求項４】
部分棚部は部分棚板と、部分棚板の左右端部下面に設けられた左右引出し支持板と、左右引出し支持板間に配設された引出しより構成され、部分棚部が仕切板と側板間より取外されて天板上に載置された状態でも、引出しは引き出し可能に構成されていることを特徴とする請求項３に記載の学習机。
【請求項５】
机の天板の後部に上置き棚が着脱自在に備えられた学習机において、上置き棚の背板に対して左右に移動自在で、下端面と天板間に所定の間隔を有して設けられた少なくとも２枚の左右仕切板と、左右仕切板の下端部間を着脱自在に連結する部分棚部より小棚部を構成すると共に、小棚部と上置き棚の何れか一方の側板間に着脱自在に下棚板を配設する事により、小棚部と下棚板を有する使用状態と、この使用状態から下棚板だけを取外して、小棚部を上置き棚の左右側板間で左右に移動自在とした使用状態と、あるいは小棚部と下棚板を取外して、左右仕切板をそれぞれ独自に左右側板間で左右に移動自在とした使用状態が選択可能に構成されている事を特徴とする学習机。
【請求項６】
部分棚部は部分棚板と、部分棚板の左右端部下面に設けられた左右引出し支持板と、左右引出し支持板間に配設された引出しより構成され、部分棚部が仕切板と側板間より取外されて天板上に載置された状態でも、引出しは引き出し可能に構成されていることを特徴とする請求項５に記載の学習机。
【発明の詳細な説明】
【技術分野】
【０００１】
本発明は、机の天板後部に上置き棚が着脱自在に備えられた学習机に関するものである。
【背景技術】
【０００２】
この種の学習机としては、机の天板上に、着脱自在に配置した上置き棚の背板部分に、左右に延びるスライドガイドが設けてあり、該スライドガイドに摺動可能に支持されて、上置き棚上のレイアウトを調整できる仕切板、小棚、小物入れ等の移動体を装備したものがあった。（例えば、特許文献１参照。）
【０００３】
この場合、移動体の左右巾が一定であるので、上置き棚の左右の一方側に移動体を移動した時に形成されるパソコンのモニター等を配置する空間は、上置き棚の左右巾から移動体の左右巾を除いた巾の大きさ以上には形成する事が出来ず、十分な大きさのモニターを天板上に載置して、使用することができなかった。
【０００４】
この問題を解決するものとして、上置き棚の背部分に分離本立てを着脱自在に備えたものがある。（例えば、特許文献２参照。）
この場合、分離本立てを上置き棚より取外すことにより、十分な大きさのモニターを天板上に載置して、使用することができる反面、通常はモニターの左右巾は上置き棚の左右巾より小さいので、モニターと上置き棚の左右巾の差に相当する空間が天板上に生じ、この空間を有効に活用することも、又、取外した分離本立てを天板上で有効に利用することもできなかった。
【０００５】
【特許文献１】特開平２００３−６１７５６号
【特許文献２】特開平２００５−３４５５３号
【発明の開示】
【発明が解決しようとする課題】
【０００６】
本発明は、従来の問題点に鑑みて、上置き棚が机の天板上に載置された状態であっても、モニター等の大きさに対応して、天板上の空間のレイアウト（空間の大きさ位置等）を選択することが可能な学習机を提供する事を課題とする。
【課題を解決するための手段】
【０００７】
そこで、上記課題を解決する為、本発明が第１の手段として構成したところは、机の天板の後部に上置き棚が着脱自在に備えられた学習机において、上置き棚の背板に対して左右に移動自在で、下端面と天板間に所定の間隔を有して設けられた仕切板と、仕切板の下端部と上置き棚の一方の側板間を着脱自在に連結する部分棚部と、仕切板と上置き棚の他方の側板間に着脱自在に配設された下棚板より構成され、部分棚部と下棚板を取外した状態で、仕切板を左右に移動自在としたものである。
【０００８】
次に、本発明が第２の手段として構成したところは、第１の手段に加え、部分棚部は部分棚板と、部分棚板の左右端部下面に設けられた左右引出し支持板と、左右引出し支持板間に配設された引出しより構成され、部分棚部が仕切板と側板間より取外されて天板上に載置された状態でも、引出しは引き出し可能に構成されているものである。
【０００９】
次に、本発明が第３の手段として構成したところは、机の天板の後部に上置き棚が着脱自在に備えられた学習机において、上置き棚の背板に対して左右に移動自在で、下端面と天板間に所定の間隔を有して設けられた少なくとも２枚の左右仕切板と、左右仕切板の下端部間を着脱自在に連結する部分棚部より小棚部を構成する事により、上置き棚に対して小棚部を左右に移動自在とし、部分棚部を取り外した状態で、左右仕切板をそれぞれ独自に左右に移動自在としたものである。
【００１０】
次に、本発明が第４の手段として構成したところは、第３の手段に加え、部分棚部は部分棚板と、部分棚板の左右端部下面に設けられた左右引出し支持板と、左右引出し支持板間に配設された引出しより構成され、部分棚部が仕切板と側板間より取外されて天板上に載置された状態でも、引出しは引き出し可能に構成されているものである。
【００１１】
次に、本発明が第５の手段として構成したところは、机の天板の後部に上置き棚が着脱自在に備えられた学習机において、上置き棚の背板に対して左右に移動自在で、下端面と天板間に所定の間隔を有して設けられた少なくとも２枚の左右仕切板と、左右仕切板の下端部間を着脱自在に連結する部分棚部より小棚部を構成すると共に、小棚部と上置き棚の何れか一方の側板間に着脱自在に下棚板を配設する事により、小棚部と下棚板を有する使用状態と、この使用状態から下棚板だけを取外して、小棚部を上置き棚の左右側板間で左右に移動自在とした使用状態と、あるいは小棚部と下棚板を取外して、左右仕切板をそれぞれ独自に左右側板間で左右に移動自在とした使用状態が選択可能に構成されているものである。
【００１２】
次に、本発明が第６の手段として構成したところは、第５の手段に加え、部分棚部は部分棚板と、部分棚板の左右端部下面に設けられた左右引出し支持板と、左右引出し支持板間に配設された引出しより構成され、部分棚部が仕切板と側板間より取外されて天板上に載置された状態でも、引出しは引き出し可能に構成されているものである。
【発明の効果】
【００１３】
請求項１に記載の発明によると、部分棚部と下棚板上を仕切板で仕切られた本立て部分として使用することが出来、下棚板を取外した状態で、仕切板と上置き棚の側板間に空間が形成されるので、この空間を大きな本の本立て部分、あるいはパソコンのモニター載置部分として使用すると共に、部分棚部の上部を本立て部分、あるいは小物載置部分として使用することができる。空間部分の有効活用がはかれる。
さらに、モニターが上記空間に納まりきらない大きさのときは、部分棚部を取外して、仕切板を移動させれば、上置き棚の側板と仕切板間に所望の大きさの空間を形成することが出来、この空間にモニターをおさめることが可能となり、仕切板と他方の側板間の空間を大きな本の本立て部分として使用することができるので、空間部分の有効活用がはかれる。
そして、請求項２に記載の発明によると、上記取外された部分棚部が天板上に載置された状態で、引出し可能に構成されているので、部分棚板上を液晶モニターの載置台として使用すれば、引出しをＣＤ―ＲＯＭ、磁気ディスク等の記録媒体の収納部分として使用することが出来、取外した部分棚部の有効活用が計れる。
【００１４】
請求項３に記載の発明によると、小棚部を本立て、あるいは小物載置部分として使用できる事はもちろん、小棚部は左右に移動可能であるから、小棚部と上置き棚の左右いずれかの側板間に空間が形成されるので、この空間を大きな本の本立て部分、あるいはパソコンのモニター載置部分として使用する事が出来、モニターが上記空間に納まりきらない大きさのときは、部分棚部を取外して、２つの仕切板を移動させれば、上置き棚の左右側板と２つの仕切板間に所望の大きさの空間を形成することが出来、この空間の所望位置（仕切板間であっても）にモニターをおさめることが可能となり、仕切板と側板間の空間を大きな本の本立て部分として使用することができるので、空間部分の有効活用がはかれる。
そして、請求項４に記載の発明によると、上記取外された部分棚部が天板上に載置された状態でも、引出しが引出し可能に構成されているので、部分棚板上を液晶モニターの載置台として使用すれば、引出しをＣＤ―ＲＯＭ、ブロッピーディスク等の記録媒体の収納部分として使用することが出来、取外した部分棚部の有効活用が計れる。
【００１５】
請求項５に記載の発明によると、小棚部と下棚板によって、左右側板間を本立て等の収納空間として使用することが出来、下棚板を取外せば、小棚部は左右に移動自在となり、小棚部と上置き棚の左右いずれかの側板間に空間が形成されるので、この空間を大きな本の本立て部分、あるいはパソコンのモニター載置部分として使用する事が出来、モニターが上記空間に納まりきらない大きさのときは、さらに、部分棚部を取外して、２つの仕切板を移動させれば、上置き棚の左右側板と２つの仕切板間に所望の大きさの空間を形成することが出来、この空間の所望位置（仕切板間であっても）にモニターをおさめることが可能となり、仕切板と側板間の空間を大きな本の本立て部分として使用することができるので、空間部分の有効活用がはかれる。
そして、請求項６に記載の発明によると、上記取外された部分棚部が天板上に載置された状態で、引き出し可能に構成されているので、部分棚板上を液晶モニターの載置台として使用すれば、引出しをＣＤ―ＲＯＭ、磁気ディスク等の記録媒体の収納部分等として使用することが出来、取外した部分棚部の有効活用が計れる。
【発明を実施するための最良の形態】
【００１６】
本発明は、机の天板の後部に上置き棚が着脱自在に備えられた学習机において、上置き棚の背板に対して左右に移動自在で、下端面と天板間に所定の間隔を有して設けられた少なくとも２枚の左右仕切板と、左右仕切板の下端部間を着脱自在に連結する部分棚部より小棚部を構成すると共に、小棚部と上置き棚の何れか一方の側板間に着脱自在に下棚板を配設する事により、小棚部と下棚板を有する使用状態と、この使用状態から下棚板だけを取外して、小棚部を上置き棚の左右側板間で左右に移動自在とした使用状態と、あるいは小棚部と下棚板を取外して、左右仕切板をそれぞれ独自に左右側板間で左右に移動自在とした使用状態が選択可能に構成されると共に、部分棚部は部分棚板と、部分棚板の左右端部下面に設けられた左右引出し支持板と、左右引出し支持板間に配設された引出しより構成され、部分棚部が仕切板と側板間より取外されて天板上に載置された状態でも、引出しは引き出し可能に構成されているものである。
【実施例１】
【００１７】
以下、添付図面の図１〜図９に基づいて第１実施例を詳述する。
図１において、符号１・・・は机を示し、符号２・・・は机１の天板１１の後部に着脱自在に備えられた上置き棚を示し、符号１００は、机１と上置き棚２からなる本発明の第１実施例の学習机を示している。
机１は、天板１１と、天板１１の左右端部に配設された左右脚体１２、１２と左右脚体の後端部間に配設された机後板１３（図示せず。）等より構成されている。
上置き棚２は、左右側板２１、２１と、左右側板２１、２１の後端部間を連結する背板３と、背板３に左右方向に移動自在に取付けられた仕切板５と、仕切板５の下端部と右側板２１間を着脱自在に連結する部分棚部６と、仕切板５と上置き棚２の左側板２１間に配設される下棚板７より構成されている。
符号８は、部分棚部６上に載置されたブックエンドを示している。
【００１８】
上置き棚２の背板３は上下方向ほぼ中央部に巾方向全幅に渡って、所定の間隙が形成されるよう、下端面と上端面が平行に所定間隔離間して配設された上下背板３１、３２よりなり、上背板３１の下端部後面側に上案内段部３１１が左右方向全幅に渡って形成され、下背板３２の上端部後面側に上案内段部３１１対向して設けられた下案内段部３２１が左右方向全幅に渡って形成されている。
符号３３は、左右側板２１、２１の後端部下方位置間と下背板３２の前面に設けられた補強桟を示している。
【００１９】
仕切板５は、下端面と天板１１間に所定の間隔を有して前方に突出し、左右側板２１、２１間を左右方向に所望間隔で区画可能なよう背板３に対して左右に移動自在設けられている。
すなわち、仕切板５は、前記上下背板３１、３２に対向して設けられた上下案内段部３１１、３２１に係合する上下係合段部５１１、５１２を上下端面に有するスライド支持板５１と、スライド支持板５１が後端面上部に連結された区画板５２より構成されている。
一方、前記部分棚部６を着脱自在に連結するため、前後方向にわたって少なくとも前端が開口する嵌合溝５３が区画板５２の右側板２１側内面に設けられ、さらに、部分棚部６を固着するための連結用螺孔５４、５４が嵌合溝５３の下方で区画板５２の右側板２１側内面前後端部に設けられている。
【００２０】
そして、前記仕切板５の嵌合溝５３、連結用螺孔５４、５４に対応して、嵌合溝５３、連結用螺孔５４、５４と同様の側板側嵌合溝２３と側板側連結螺孔（図示せず。）が、右側板２１の仕切板５側の内面に形成されている。
尚、第１実施例では、仕切板５は、上背板３１、下背板３２、補強桟３３の一方側の端部がダボ、接着材等にて側板２１と連結された状態で、後端面に連結されたスライド支持板５１の上下係合段部５１１、５１２を、上下背板３１、３２の他方側端部の上下案内段部３１１、３２１の後面に係合させて所定位置までスライドさせた後、もう一方の側板２１と上下背板３１、３２の他方側端部をダボ、接着材等にて連結する事で、背板３に左右に移動自在で、下端面と天板１１間に所定の間隔を有して設けられ、上下背板３１、３３から取外す事は出来ないが、例えば、上下背板３１、３２の前側から障子のように上係合段部５１１を上案内段部３１１と係合させてから下係合段部５１２を下案内段部３２１と係合させて取付けて、着脱自在とする事も適宜選択可能である。
また、スライド支持板５１の右側板２１側端面の上下方向中央部分を区画板５２側に弓状に凹ませて操作用凹部５１３を形成する事により、仕切板５のスライド支持板５１が右側板２１に当接しても、操作用凹部５１３によって、指先の挿入が可能な隙間が形成されるため、仕切板５の操作がより容易になる。
【００２１】
部分棚部６は、左右端面が仕切板５の嵌合溝５３と右側板２１の側板側嵌合溝２３に前方より嵌合する左右嵌合突部６１１、６１１となる部分棚板６１と、部分棚板６１の左右嵌合突部６１１、６１１の内側下面に下方に突出して前後方向設けられた左右引出し支持板６２、６３と、左右引出し支持板６２、６３間の略中央部で、前後方向に設けられた中央支持板６４と、左右引出し支持板６２、６３と、中央支持板６４間で出入自在に配設された引出し６５、６５等より構成されている。
【００２２】
左右引出し支持板６２、６３は内面側に引出し支持レール６７、６７を有し、前記仕切板５及び右側板２１の連結用螺孔５４、５４、側板側連結螺孔に対応して連結孔６００・・・が形成され、中央支持板６４の左右引出し支持板６２、６３側には、前記引出し支持レール６７、６７に対応して中央レール６８、６８が設けられている。
【００２３】
引出し６５は、引出し支持レール６７、６７及び中央レール６８、６８に出入自在に支持される胴部６５１と、胴部６５１の前面に連結された正面板部６５２より構成され、正面板部６５２の下端部と胴部６５１の底板６５３間の裏面側を引出し６５を引き出すときの手掛かり部６５０としている。
そして、左右引出し支持板６２、６３の高さを胴部６５１と正面板部６５２の高さ寸法より、指先の厚さ分以上高く設定する事により、部分棚部６を天板１１上に載置しても（図６に示す状態）正面板部６５２の下端面と天板１１巻に指先を差し込めば、引出し６５は出し入れ可能となる。
【００２４】
尚、第１の実施例では、正面板部６５２の下端部と胴部６５１の底板６５３間の裏面側を引出し６５を引き出すときの手掛かり部６５０としているが、正面板部６５２の上端部に切り込みを設けて、正面板部６５２の上端部裏面側を手掛かり部とすれば、左右引出し支持板６２、６３の高さ寸法は胴部６５１と正面板部６５２の高さ寸法より若干高くするだけで、部分棚部６を天板１１上に載置しても十分に引出し６５の出入が可能となる。
すなわち、部分棚部６を天板１１上に載置して、液晶モニターの載置台として使用する場合には、手掛かり部を工夫する事で、部分棚部６の厚み（高さ）を極力薄く（引出し６５の厚みを極力薄く）する事も可能である。
【００２５】
部分棚部６は、上記の如く構成され、左右嵌合突部６１１、６１１を、仕切板５の嵌合溝５３と右側板２１の側板側嵌合溝２３に前方より嵌合し、引出し６５、６５を抜き出した状態で、連結孔６００・・・を挿通して連結ネジ６０１を連結用螺孔５４、側板側連結螺孔に螺合し、部分棚部６と仕切板５と右側板２１は連結される。
この状態で、部分棚部６の後端面（部分棚板６１の後端面）と下背板３２の前面間にブックエンド８をスライドさせるときのスライド第１案内溝６６となる若干の隙間が形成される。
【００２６】
下棚板７は、左右端の形状を部分棚板６１の左右端部を部分棚板６１の左右嵌合突部６１１、６１１と同形となして、仕切板５の嵌合溝５３と右側板２１の側板側嵌合溝２３に嵌合可能な形状となした扁平長方形状で、第１の実施例では部分棚部６の左右の巾寸法と下棚板７の巾寸法の比はほぼ１対１．２の割合に設定されているが、２対３の割合でもよく液晶モニターの各サイズを考慮した上で、適宜選択すればよい。
そして、左側板２１の内面と仕切板５の区画板５２の左側板２１側の面には前後に所定間隔を有し、上下方向に複数個の支持金具取付孔２１０・・・が形成され、適宜な支持金具取付孔２１０・・・に着脱自在に取り付けた支持金具５０・・・に下棚板７の左右端部下面が嵌合載置し、左側板２１と仕切板５間に下棚板を着脱自在に配設される。
そして、この状態で、下棚板７の後端面と下背板３２の前面間にスライド第１案内溝６６と同様のスライド第２案内溝７０が形成される。
【００２７】
ブックエンド８は、左右に所定間隔を有して立設された左右起立板８１、８２と左右起立板８１、８２の後端部間を連結する連結後板８３より構成され、使用中に不用意に前方に移動しないよう、又、部分棚板６１上及び下棚板７上のいずれでも使用可能なよう、連結後板８３の下端面後部には、左右起立板８１、８２の下端面より下方に突出し、前記スライド第１案内溝６６及びスライド第２案内溝７０に上方から嵌入する嵌入突条８４が形成されている。
【００２８】
第１実施例は上記の如く構成され、天板１１上にパソコンの液晶モニターを載置しない、普通の学習机として使用する場合は、図１に示すように、仕切板５と右側板２１間に部分棚部６を連結し、仕切板５と左側板２１間に下棚板７を設けて使用する。
そして、中型の液晶モニターＭを天板１１上で使用する場合は、上置き棚２の左右方向での割合が大きい下棚板７、支持金具５０・・・を取外して、仕切板５と左側板２１間にモニター設置用空間を形成し、ここに中型の液晶モニターＭを位置させると、天板１１上が手狭にならず有効に使用できる。（図７に示す状態）
【００２９】
又、小型の液晶モニターＳを天板１１上で使用する場合は、部分棚部６と下棚板７と支持金具５０・・・を取外し、下棚板７が位置していた個所の天板１１上に部分棚部６を位置させ、仕切板５を左側板２１方向に移動させて、部分棚板６１の右嵌合突部６１１の端面に当接させ、取外した下棚板７の左右端部を嵌合溝５３、側板側嵌合溝２３に嵌合させて、右側板２１と仕切板５間に下棚板７を取付け、前記部分棚部６上に小型の液晶モニターＳを載置して使用する。（図８に示す状態）この時、下棚板７上は本立てとして使用され、部分棚部６は、引出し６５を有するモニター台として使用されるので、天板１１上及び取外した部材の有効活用が計れる。
【００３０】
さらに、大型の液晶モニターＬを天板１１上で使用する場合は、部分棚部６と下棚板７と支持金具５０・・・を取外し、仕切板５を左右いずれか側に移動させて側板２１と仕切板５間に大きい空間を形成し、この空間の天板１１上に取外した部分棚部６を位置させ、部分棚部６上に大型の液晶モニターＬを載置して使用する。（図９に示す状態）
この時、大型の液晶モニターＬが位置しない仕切板５と側板２１間には大型の本（パソコンのマニュアル本等）が収納可能となるので、天板１１上の有効活用が計れる。
【００３１】
次に第２実施例を図１０から図１４に基いて説明する。
第２実施例の上置き棚２は、左右側板２１、２１と、左右側板２１、２１の後端部間を連結する背板３と、背板３に左右方向に移動自在に取付けられた２枚の左右側の仕切板５、５と、左右側の仕切板５、５間の下端部間を部分棚部６にて着脱自在に連結して構成された小棚部５００と、小棚部５００と左右何れか一方の側板２１（図１０では左側板２１）間に配設される下棚板７より構成されている。
【００３２】
左側板２１は、第１実施例の左側板２１と同一仕様に構成され、右側板２１は、左側板２１と対向した同一仕様となっている。
すなわち、第２実施例の左右側板２１、２１は内面側所定位置に下棚板７の支持金具５０・・・の支持金具取付孔２１０・・・が前後に所定間隔を有し、上下方向に複数個形成されている。
【００３３】
左側の仕切板５は、第１実施例の仕切板５と同一仕様に構成され、右側の仕切板５は、左側の仕切板５と対向した同一仕様となっている。
すなわち、左側の仕切板５は、区画板５２の右側板２１側の面に嵌合溝５３と、連結用螺孔５４、５４が形成され、左側板２１側の面に、左側板２１に対応して下棚板７の支持金具５０・・・の支持金具取付孔２１０・・・が前後に所定間隔を有し、上下方向に複数個形成され、右側の仕切板５は、区画板５２の左側板２１側の面に嵌合溝５３と、連結用螺孔５４、５４が形成され、右側板２１側の面に、右側板２１に対応して下棚板７の支持金具５０・・・の支持金具取付孔２１０・・・が前後に所定間隔を有し、上下方向に複数個形成されている。
【００３４】
そして、背板３、部分棚部６、下棚板７、ブックエンド８は寸法的な違いはあるものの、第１実施例の、背板３、部分棚部６、下棚板７、ブックエンド８と同一仕様に構成され、仕切板５、５間に部分棚部６を第１実施例と同様に連結して小棚部５００を構成し、小棚部５００を左右何れか一方の側板２１の内面に寄せて、小棚部５００と他方の側板２１間に下棚板７を配設して使用される。（図１０に示す状態）
【００３５】
第２実施例は上記の如く構成され、中型の液晶モニターＭを天板１１上で使用する場合は、上置き棚２の左右方向での割合が大きい下棚板７、支持金具５０・・・を取外して、小棚部５００を左右に移動可能な状態とし、何れか一方側に小棚部５００を寄せて、小棚部５００と左右何れか一方の側板２１間にモニター設置用空間を形成し、ここに中型の液晶モニターＭを位置させると、天板１１上が手狭にならず有効に使用できる。例として図１２に小棚部５００を左側板２１側に寄せて、小棚部５００と右側板２１間にモニター設置用空間を形成した状態を示す。
【００３６】
又、小型の液晶モニターＳを天板１１上で使用する場合は、部分棚部６と下棚板７と支持金具５０・・・を取外し、仕切板５、５を左右側板２１の何れか一方側に寄せて、他方の天板１１上に部分棚部６を位置させ、左側の仕切板５を左側板２１方向に移動させて、部分棚板６１の右嵌合突部６１１の端面に当接させ、取外した下棚板７の左右端部を左右側の仕切板５、５の嵌合溝５３、５３に嵌合させて、仕切板５、５間に下棚板７を取付け、前記部分棚部６上に小型の液晶モニターＳを載置して使用する。（図１３に示す状態）
この時、下棚板７上は本立てとして使用され、部分棚部６は、引出し６５を有するモニター台として使用されるので、天板１１上及び取外した部材の有効活用が計れる。
【００３７】
さらに、大型の液晶モニターＬを天板１１上で使用する場合は、部分棚部６と下棚板７と支持金具５０・・・を取外し、仕切板５、５を左右同じ方向か、あるいは左右別々の方向移動させて（第２実施例では同じ方向に移動）、側板２１と仕切板５間に大きい空間を形成し、この空間の天板１１上に取外した部分棚部６を位置させ、部分棚部６上に大型の液晶モニターＬを載置して使用する。（図１４に示す状態）
この時、液晶モニターＬが位置しない仕切板５、５間、仕切板５と側板２１間には大型の本（パソコンのマニュアル本等）が収納可能となるので、天板１１上の有効活用が計れる。
また、左右の仕切板５、５のそれぞれのスライド支持板５１、５１には、第一実施例で記したように、操作用凹部５１３、５１３を形成している。操作用凹部５１３、５１３を形成したことにより、仕切板５、５のスライド支持板５１、５１同士が当接してもスライド支持板５１、５１間に指先を挿入可能な隙間が形成されるため、仕切板５の操作がより容易になる。
尚、図１４では大型の液晶モニターＬを上置き棚２の左側に位置して使用しているが、仕切板５、５を左右別々の方向に寄せれば、上置き棚２の中央部で、大型の液晶モニターＬを使用する事もできる。
【００３８】
すなわち、第１実施例と、第２実施例の大きな違いは、部分棚部６を、一枚の仕切板５と側板２１間に着脱自在に連結するか、あるいは、２枚の仕切板５、５間に着脱自在に連結するかの違いであり、両者とも、モニター等の大きさに対応して、天板上の空間のレイアウト（空間の大きさ位置等）を選択することが可能であるが、第２実施例場合は特に、モニターの設置位置が左右何れの位置でも選択する事ができる点が第１実施例より優れている。
【図面の簡単な説明】
【００３９】
【図１】本発明の斜視図
【図２】仕切板と部分棚部の要部分解斜視図
【図３】第１実施例の上置き棚の正面図
【図４】図３のＡ−Ａ線拡大断面図
【図５】図３のＢ−Ｂ線拡大断面図
【図６】図天板上に部分棚部を載置した状態での要部拡大断面図
【図７】第１実施例の上置き棚で、中型の液晶モニターを使用した場合の正面図
【図８】第１実施例の上置き棚で、小型の液晶モニターを使用した場合の正面図
【図９】第１実施例の上置き棚で、大型の液晶モニターを使用した場合の正面図
【図１０】第２実施例の上置き棚の正面図
【図１１】図１０のＣ−Ｃ線拡大断面図
【図１２】第２実施例の上置き棚で、中型の液晶モニターを使用した場合の正面図
【図１３】第２実施例の上置き棚で、小型の液晶モニターを使用した場合の正面図
【図１４】第２実施例の上置き棚で、大型の液晶モニターを使用した場合の正面図
【符号の説明】
【００４０】
１        机
１１      天板
１２      脚体
１００    学習机
２        上置き棚
２１      側板
２３      側板側嵌合溝
３        背板
３１      上背板
３２      下背板
５        仕切板
５１      スライド支持板
５２      区画板
５３      嵌合溝
６        部分棚部
６１      部分棚板
７        下棚板
【図１】
2007000478.tif 000003
【図２】
2007000478.tif 000004
【図３】
2007000478.tif 000005
【図４】
2007000478.tif 000006
【図５】
2007000478.tif 000007
【図６】
2007000478.tif 000008
【図７】
2007000478.tif 000009
【図８】
2007000478.tif 000010
【図９】
2007000478.tif 000011
【図１０】
2007000478.tif 000012
【図１１】
2007000478.tif 000013
【図１２】
2007000478.tif 000014
【図１３】
2007000478.tif 000015
【図１４】
2007000478.tif 000016